(57)【要約】  【課題】温室等の二次的構造物や仮設構造物などの簡易構造物における基礎構築のための型枠施工に当たり、型枠部品点数の減少を図るとともに、型枠設置のための作業労力、施工コストの低減を図る。  【解決手段】コンクリート打設用型枠としてプラスチックフィルム１６，２０を用いる。前記プラスチックフィルム型枠１４は、所定幅で長寸のプラスチックフィルム１６，２０を平面形状が円形となるようにリング状に組立てるとともに、このリング状のプラスチックフィルム１６，２０の周囲に沿って所定間隔で設けられた支持杭１７，２１に対し釘１８等により固定する。【選択図】図３
2005133441.tif 000002
【特許請求の範囲】
【請求項１】
コンクリート打設用型枠としてプラスチックフィルムを用いたことを特徴とするコンクリート基礎の構築方法。
【請求項２】
前記プラスチックフィルム型枠は、所定幅で長寸のプラスチックフィルムを平面形状が円形となるようにリング状に組立てるとともに、このリング状のプラスチックフィルムの周囲に沿って所定間隔で設けられた支持杭に対し固定してある請求項１記載のコンクリート基礎の構築方法。
【請求項３】
前記プラスチックフィルムの下縁側を内側に折り曲げ、この折曲げ部分に前記支持杭を貫通させてある請求項２記載のコンクリート基礎の構築方法。
【請求項４】
前記支持杭は木製とし、プラスチックフィルムが前記木製支持杭にクギ止めされてなる請求項２〜３いずれかに記載のコンクリート基礎の構築方法。
【請求項５】
前記支持杭に代えて、組鉄筋を支持部材として前記プラスチックフィルムを設置する請求項１〜４いずれかに記載のコンクリート基礎の構築方法。
【発明の詳細な説明】
【技術分野】
【０００１】
本発明は、主として温室等の二次的構造物や仮設構造物などの簡易構造物に適用されるコンクリート基礎の構築方法に関する。
【背景技術】
【０００２】
各種構造物を築造する際には、地盤面に先ずコンクリート基礎が構築される。従来よりコンクリート基礎を構築するには、周囲に型枠を組み立てた後、この型枠内に鉄筋を配置し、コンクリートを打設する方法が一般的である。
【０００３】
前記型枠の組立ては、図６に示されるように、まず、基礎構築部位に合板または金属板などの型枠パネル５１Ａ〜５１Ｄをフォームタイ５２、５２…により建て込む。次に、隣接する型枠パネル５１Ａ〜５１Ｄの交差部に桟木５３を配置して型枠パネル５１Ａ〜５１Ｄ同士を相互に固定したならば、さらに転倒防止のために縦端太パイプ５４，５４…を前記型枠パネル５１Ａ〜５１Ｄの外面側に縦方向に建込み、さらにこの縦端太パイプ５４、５４…の外面側に横方向の横端太パイプ５５，５５…を配置し、前記フォームタイ５２，５２…の端部を前記横端太パイプ５５，５５…に締結するようにしている。
【発明の開示】
【発明が解決しようとする課題】
【０００４】
前述したように、コンクリート基礎を構築するための型枠作業は、多くの部品を必要とするとともに、型枠の構築に多くの時間と手間が掛かっていた。例えば、一般建築物や土木構造物などの構造物の場合には、高い品質と精度が要求されるため、前述した型枠設置方法に従わないとならないが、温室等の二次的構造物や仮設構造物などの簡易構造物の場合には、低コスト化のために前述した型枠構築方法とは別に簡略された型枠設置方法が強く望まれていた。
【０００５】
そこで、本発明の主たる課題は、主として温室等の二次的構造物や仮設構造物などの簡易構造物を対象として、これら構造物の基礎を構築するための型枠施工に当たり、型枠部品点数の減少を図るとともに、型枠設置のための作業労力、施工コストの低減を図り得るコンクリート基礎の構築方法を提供することにある。
【課題を解決するための手段】
【０００６】
前記課題を解決するための請求項１に係る本発明として、コンクリート打設用型枠としてプラスチックフィルムを用いたことを特徴とするコンクリート基礎の構築方法が提供される。
【０００７】
上記請求項１記載の本発明においては、型枠としてプラスチックフィルムを用いるようにした。プラスチックフィルムは型枠として必要十分な引張強度を持つとともに、このようなプラスチックフィルムであればそのまま埋め殺しとすることもでき、型枠設置及び撤去作業を大幅に省力化することが可能となる。
【０００８】
請求項２に係る本発明として、前記プラスチックフィルム型枠は、所定幅で長寸のプラスチックフィルムを平面形状が円形となるようにリング状に組立てるとともに、このリング状のプラスチックフィルムの周囲に沿って所定間隔で設けられた支持杭に対し固定してある請求項１記載のコンクリート基礎の構築方法が提供される。
【０００９】
上記請求項２記載の発明においては、プラスチックフィルム型枠を平面視で略円形状に設置するようにする。型枠形状を円形とすることにより、丁度、円形のビニールプールの如く、コンクリート打設時に型枠外方向への圧力がフィルムの周方向応力に変換され、かつ周方向に応力が均等化するため、支持杭による簡略的な固定方法であってもプラスチックフィルムの倒れも生じないし、基礎形状もいびつとならず真円状に形成されるようになる。
【００１０】
請求項３に係る本発明として、前記プラスチックフィルムの下縁側を内側に折り曲げ、この折曲げ部分に前記支持杭を貫通させてある請求項２記載のコンクリート基礎の構築方法が提供される。
【００１１】
本請求項３記載の発明では、プラスチックフィルム型枠の下縁側を内側に折り曲げ、前記支持杭で固定するようにした。コンクリートが打設された際、コンクリートの重量によりプラスチックフィルムの内側折曲げ部分が地盤面側に押圧されるため、プラスチックフィルム下縁側からのコンクリート漏れを効果的に防止できるようになる。
【００１２】
請求項４に係る発明として、前記支持杭は木製とし、プラスチックフィルムが前記木製支持杭にクギ止めされてなる請求項２〜３いずれかに記載のコンクリート基礎の構築方法が提供される。
【００１３】
上記請求項４記載の発明においては、前記支持杭とプラスチックフィルムとの連結方法としては、前記支持杭を木製とし、プラスチックフィルムを前記木製支持杭にクギ止めするのが作業上望ましい。
【００１４】
請求項５に係る本発明として、前記支持杭に代えて、組鉄筋を支持部材として前記プラスチックフィルムを設置する請求項１〜４いずれかに記載のコンクリート基礎の構築方法が提供される。
【発明の効果】
【００１５】
以上詳説のとおり本発明によれば、主として温室等の二次的構造物や仮設構造物などの簡易構造物を対象として、これら構造物の基礎を構築するための型枠施工に当たり、型枠部品点数の減少を図り得るとともに、型枠設置のための作業労力、施工コストの低減を図り得るようになる。
【発明を実施するための最良の形態】
【００１６】
以下、本発明の実施の形態について図面を参照しながら詳述する。
図１は、本発明に係る基礎構築方法が適用される温室１の側面図、図２(A)は図１のIIＡ−IIＡ線矢視図、図２(B)は図１のIIＢ−IIＢ線矢視図である。
【００１７】
温室１は、パイプ、Ｈ形綱、角形鋼管、Ｃ形鋼材などの形材から構成される架構２と、この架構内空間を覆うように前記架構外面に張設された日射透過性被覆材３とからなるものである。本形態例に係る温室１は、プラスチックハウスであるため、前記日射透過性被覆材３としては、プラスチックフィルムが使用されている。具体的には、ポリエステルフィルム、フッ素フィルムなどの硬質フィルム又は塩化ビニルフィルム、ポリエチレンフィルム等のポリオレフィン系フィルムなどの軟質フィルムが使用される。一方、前記架構２は、中間面材４，４…と、端部面材５，５とからなる面材が水平方向（長手方向）に沿って配設された複数の水平連結材６，６…によって連結された構造となっている。
【００１８】
前記中間面材４は、本例では図２(A)に示されるように、両側部に夫々配設される側柱７、７が、間口方向断面内（横断面内）に並列配置された２本の柱７Ａ、７Ｂを斜材８、８…及び／又は水平材９，９…などの連結材によって一体的に組み上げた複合柱構造とされる。前記複合柱間７，７に架け渡される主梁１０は、それぞれの複合柱の略頂部から間口中央側に向かって斜め下方向に傾斜し中間で接合された梁部材となっている。また、前記複合柱７において、相対的に外側に位置する柱７Ａの高さを相対的に内側に位置する柱７Ｂの高さよりも低くし、かつ前記外側柱７Ａと内側柱７Ｂとを曲線梁１１で結合した構造となっている。なお、前記外側柱７Ａと曲線梁１１とは連続する一体の部材とすることでもよい。また、本例では外側柱７Ａの頂部と内側柱７Ｂの頂部とを曲線梁１１で連結したが、直線梁で連結するようにしてもよい。
【００１９】
一方、端部面材５は、図２(B)に示されるように、前述した中間面材４の架構断面と基本構造は同じであるが、これに加えて、間柱１２．１２…が所定の間隔で配置され、所定箇所に出入口部が設けられるようになっている。なお、出入口部を形成するための妻柱、妻梁、鴨居等は図中から省略されている。
【００２０】
本発明においては前記温室１の基礎１３を構築する際に、図３に示されるように、コンクリート打設用型枠としてプラスチックフィルムを用いるようにしている。このプラスチックフィルムは、手配の都合上、基本的には前記日射透過性被覆材３と同じ材質のものを使用するのが良いが、型枠として用いるものであるため引張強度は高い方が望ましいため、一般的に使用される前記日射透過性被覆材３よりは厚手のものを使用するのが望ましい。
【００２１】
前記基礎１３の構築方法について具体的に詳述すると、温室１の基礎構築部位には、コンクリート打設のために図３に示されるプラスチックフィルム型枠１４が設置される。
【００２２】
このプラスチックフィルム型枠１４は、基礎形状が中心部が柱状に嵩上げされた段状基礎とされるため、相対的に大径の下段側基礎部分の型枠を構成する下段側プラスチックフィルム型枠１５と、相対的に小径の上段側基礎部分の型枠を構成する上段側プラスチックフィルム型枠１９とからなる。
【００２３】
先ず、前記下段側プラスチックフィルム型枠１５の設置は、構築される下段側基礎部分に平面形状が円形となるようプラスチックフィルム１６をリング状に組み立てるとともに、プラスチックフィルム１６の周方向に適宜の間隔で配置した木製支持杭１７，１７…に対してプラスチックフィルム１６を固定するようにする。この際、前記木製支持杭１７はプラスチックフィルム１６の内周側に配置し、プラスチックフィルム１６の外面側から打ち付けた釘１８によって固定するようにしている。また、図示例では前記プラスチックフィルム１６の両端部も同時に木製支持杭１７に対して釘１８で固定されることにより、リング状に組み立てられている。
【００２４】
前記プラスチックフィルム１６の設置に当たり、プラスチックフィルム１６の下縁側部分を内側に折り曲げ、この折曲げ部分１６ａに前記木製支持杭１７を貫通して設けるようにするのが望ましい。このように下縁部分に内側への折曲げ部分１６ａを形成することにより、コンクリート打設時に下縁部分からコンクリートが外部に漏れ出すのを効果的に防止できるようになる。なお、前記プラスチックフィルム１６の下縁部分には、折り曲げ易いように、周方向に適宜の位置に下縁側から縦方向の切込みを入れるようにするのがよい。
【００２５】
一方、前記上段側プラスチックフィルム型枠１９も基本的には、前記下段側プラスチックフィルム型枠１５と同様の構造を成すが、プラスチックフィルム２０は、下段側基礎の天端を下端縁として配置されるため、木製支持杭２１としては杭長の長いものを使用するようにする。図示例では、前記木製支持杭２１，２１…を円周位置に４本配置し、この木製支持杭２１、２１…の支持材としてプラスチックフィルム２０を固定するようにしている。
【００２６】
前記プラスチックフィルム型枠１５，１９の組立ては、プラスチックフィルム１６，２０をリング状に設置した後、木製支持杭１７，２１を地盤に設置し、前記プラスチックフィルム１６，２０を木製支持杭１７，２１に釘止めしてもよいし、先ず木製支持杭１７，２１を設置した後、プラスチックフィルム１６，２０を設置するようにしても良いし、更にはプラスチックフィルム１６，２０と木製支持杭杭１７，２１を予め組立て終えてから、木製支持杭１７，２１を地盤に貫入させる要領で設置を行うようにしてもよい。
【００２７】
以上の手順により、プラスチックフィルム型枠１５，１９の設置を終えたならば、前記プラスチックフィルム型枠１５，１９の内部に組鉄筋２３を配筋する。次に、図４(A)に示されるように、下段側プラスチックフィルム型枠１５内であってかつその天端まで生コンクリート２２Ａを打設し、その硬化を待った後、続いて上段側プラスチックフィルム型枠１９の内部であってかつその天端まで生コンクリート２２Ｂを打設するようにする。
【００２８】
ところで、前述した温室１では、風荷重作用時に片側の基礎１３に負反力（アップリフト）が発生することが解析により明らかになった。そこで、負反力を抑えるために、図５に示されるように、相対的に小径の上段側基礎部分の周囲にソイルセメント２７を充填することにした。この場合のソイルセメントの充填に際しても、プラスチックフィルム型枠２４を使用することが可能である。同図に示されるように、下段側基礎部分の外面周方向に適宜の間隔で木製支持杭２６，２６を設置し、この木製支持杭２６，２６…を支持材としてその内面側にプラスチックフィルム２５を設置し、釘１８，１８により木製支持杭２６に固定するようにする。型枠の準備が整ったならば、プラスチックフィルム型枠２４の内部にソイルセメント２７を充填するようにする。
【００２９】
以上、温室の例により本発明に係るコンクリート基礎の構築方法を説明したが、本方法はプレハブ建屋などの基礎に対しても適用できるし、他の一般構造物の基礎に対しても適用が可能である。
【００３０】
〔他の形態例〕
(1)上記形態例では、下段側プラスチックフィルム型枠１５及び上段側プラスチックフィルム型枠１９の設置に当たり、プラスチックフィルム１６，２０の内面側に木製支持杭１７，２１を配設するようにしたが、木製支持杭１７，２１はプラスチックフィルム１６，２０の外側に配置するようにしてもよい。
(2)上記形態例では、底面側は地盤としたが、底面に円形に裁断したプラスチックフィルムを敷設するようにしてもよい。
(3)上記形態例ではプラスチックフィルム１６，２０を木製支持杭１７，２１に固定するのに釘１８を用いたが、タッカー（建築分野で天井板を止めるのに使うホッチキスに似た留め具打ち付け器具）や、その他、鋲などの打ち付け器具などを用いて固定するようにしてもよい。
(4)上記形態例ではプラスチックフィルムの支持部材として木製支持杭１７，２１を使用したが、鋼製杭、鉄筋、鋼棒などを支持杭として使用してもよい。
(5)プラスチックフィルムは、地盤中に貫入させた木製支持杭１７，２１、鋼製杭、鉄筋、鋼棒等を支持部材として設置する他、型枠内部に設置された組鉄筋に対して、連結部材又はスペーサ等を介して設置するようにしてもよい。
(6)前記プラスチックフィルム１６，２０、木製支持杭１７，２１は撤去することもできるが、許されるならば埋め殺しとするのが望ましい。
【図面の簡単な説明】
【００３１】
【図１】本発明に係るトンネル基礎の構築方法が適用される温室１の側面図である。
【図２】(A)は図１のIIＡ−IIＡ線矢視図、(B)は図１のIIＢ−IIＢ線矢視図である。
【図３】プラスチックフィルム型枠１４の設置状態斜視図である。
【図４】型枠完了後のコンクリート打設手順図である。
【図５】ソイルセメント充填のための型枠設置要領を示す、(A)は平面図、(B)は縦断面図である。
【図６】従来の基礎構築のための型枠設置要領を示す平面図である。
【符号の説明】
【００３２】
１…温室、２…架構、３…日射透過性被覆材、４…中間面材、５…端部面材、６…水平連結材、７…複合柱、７Ａ…外側柱、７Ｂ…内側柱、８…斜材、９…水平材、１０…主梁、１１…曲線梁、１２…間柱、１３…基礎、１４…プラスチック型枠、１５…下段側プラスチックフィルム型枠、１６…プラスチックフィルム、１７…木製支持杭、１８…釘、１９…上段側プラスチックフィルム型枠、２０…プラスチックフィルム、２１…木製支持杭、２２…生コンクリート、２３…鉄筋
【図１】
2005133441.tif 000003
【図２】
2005133441.tif 000004
【図３】
2005133441.tif 000005
【図４】
2005133441.tif 000006
【図５】
2005133441.tif 000007
【図６】
2005133441.tif 000008